(57)【特許請求の範囲】
【請求項１】
撒餌を収納する上部カゴ本体と下部蓋体の夫々中心孔に中心軸を貫通し、中心軸に位置調整部材を設けて前記上部カゴ本体と下部蓋体の離間幅を調整し、撒餌の放出量を調整可能としたことを特徴とする撒餌具。
【請求項２】
前記位置調整部材は外周に整流翼を有することを特徴とする請求項１記載の撒餌具。
【請求項３】
前記上部カゴ本体と下部蓋体の間にル−プ状に巻回したハリスを係止する係止部を設けたことを特徴とする請求項１記載の撒餌具。
【請求項４】
前記中心軸に可撓性を有する中心軸を連結し、前記上部カゴ本体に切欠きを設けて該切欠きに沿って可撓性を有する中心軸を屈曲可能としたことを特徴とする請求項１記載の撒餌具。
【発明の詳細な説明】
【０００１】
【発明の属する技術分野】
この発明は、餌が付けられた釣針を釣り目的の魚のいる水深に達するまで送り届けるための撒餌具の改良に関する。
【０００２】
【従来の技術】
従来の撒餌具は例えば実用新案登録第３０２２２７３号公報のように、下端を開口して内部にコマセを収容可能とした上部カゴ本体と、その上部カゴ本体の下端に脱着自在とした下部フタ体と、その下部フタ体の上に覆設した中板とを備え、それら上部カゴ本体と中板と下部フタ体にフレキシブルな中心軸を上下方向に貫通させ、下部フタ体の下方へ貫出した中心軸に錘体を取付け、上部カゴ本体が上方に移動することでコマセの放出を図っていた。
従って上記撒餌具には上部カゴ本体が上方に移動する移動距離の調整は出来ないため、収容したコマセの放出量の調整は出来なかった。
更に例えば実公平５−４５１８０号公報のようにコマセの放出量の調整を図ったものもあるが、調整筒の上下幅が狭く適切な調節が図れなかった。
又、従来の撒餌具はツケ餌を撒餌具本体に収納して投入する際は長いハリスでは絡みが生じる可能性があった。
【０００３】
【発明が解決しようとする課題】
解決しようとする問題点は、上部カゴ本体が上下に移動するタイプの撒餌具では、コマセの放出量の調整が図れないこと、ツケ餌に長いハリスを付けて撒餌具本体に装着すると投入時に絡み易いことである。
【０００４】
本発明の目的は上記欠点に鑑み、コマセの放出量の調整が図れると共に、長いハリスの糸絡みが発生し難い撒餌具を提供することである。
【０００５】
【課題を解決するための手段】
上記課題を解決するために、
請求項１に係わる本発明は、撒餌を収納する上部カゴ本体と下部蓋体の夫々中心孔に中心軸を貫通し、中心軸に位置調整部材を設けて前記上部カゴ本体と下部蓋体の離間幅を調整し、撒餌の放出量を調整可能としたことを要旨とするものである。
請求項２に係わる本発明は、前記位置調整部材は外周に整流翼を有することを要旨とするものである。
請求項３に係わる本発明は、前記上部カゴ本体と下部蓋体の間にル−プ状に巻回したハリスを係止する係止部を設けたことを要旨とするものである。
請求項４に係わる本発明は、前記中心軸に可撓性を有する中心軸を連結し、前記上部カゴ本体に切欠きを設けて該切欠きに沿って可撓性を有する中心軸を屈曲可能としたことを要旨とするものである。
【０００６】
【発明の実施の形態】
請求項１の本発明により、位置調整部材３、３′の位置を調整することで上部カゴ本体１と下部蓋体５の離間幅Ｈ、ｈが調整出来て容易にコマセの放出量を調整できる。
請求項２の本発明により、位置調整部材３、３′に整流翼３ｃを設けると、投入時の飛行姿勢が安定し、投入し易くなり、水中では整流翼３ｃが抵抗となりアンカ−効果が生まれ潮のりがよくなる。
請求項３の本発明により、ハリス１４はル−プ状に巻き込んで係止部１ｈと係止部５ｆで係止されるので、長いハリスが使用可能である。
請求項４の本発明により、上部カゴ本体１の切欠き１ｇに沿って可撓性を有する中心軸４が屈曲可能なので、コマセの詰め込みがし易い。
【０００７】
【実施例】
以下、図示の実施例によって本発明を説明すると、図１から図４は第１実施例で、図１は撒餌具の（ａ）水中に投入前の外観図で（ｂ）水中に投入コマセ放出後の外観図、図２は（ａ）撒餌具の断面側面図で（ｂ）撒餌具の平面図、図３は撒餌具の上部カゴ本体にコマセを詰める時の分解断面側面図、図４は撒餌具の（ａ）上部カゴ本体と下部蓋体の離間幅が大きい断面側面図で（ｂ）上部カゴ本体と下部蓋体の離間幅が小さい断面側面図である。
【０００８】
撒餌具は、撒餌を収納する上部カゴ本体１の内側筒部１ａの中心孔１ｂに上側中心軸２が貫通され、上部カゴ本体１上の上側中心軸２に位置調整部材３が螺合されている。
上側中心軸２の下側に可撓性を有する中心軸４が連結されている。
上部カゴ本体１の下方に下部蓋体５が配置され、下部蓋体５の内側筒部５ａの中心孔５ｂと重錘６の中心孔６ａに可撓性を有する中心軸４が貫通されている。
【０００９】
上部カゴ本体１はポリプロピレン等の合成樹脂で円錐状の筒体１ｃに形成されて内側筒部１ａに中心孔１ｂが形成されている。
筒体１ｃの外周には複数の透孔１ｄが形成され、開口１ｅには複数の下向きの突起１ｆが形成されると共に開口１ｅから切欠き１ｇが形成されている。
開口１ｅの外周一側に下側に突出するようにＬ字形の係止部１ｈが形成されている。
内側筒部１ａの外周に浮力体１０を固着してもよい。
【００１０】
上側中心軸２の上端に糸止め部２ａが形成されて糸止め部２ａには道糸１１が連結されている。
上側中心軸２の下端に連結部２ｂが形成されて連結部２ｂの孔に可撓性を有する中心軸４の上端が挿入された後屈曲されて外周に糸巻きや金属片を丸めた係止具７で止められている。
可撓性を有する中心軸４は可撓性を有するワイヤ−の外周が合成樹脂でコ−ティングされている。
上部カゴ本体１上の上側中心軸２にネジ部２ｃが形成されている。
位置調整部材３は合成樹脂で細長い円錐状に形成されて中心に貫通孔３ａが形成されると共にネジ部３ｂが形成されている。
位置調整部材３の外周の軸線方向に複数の整流翼３ｃが形成されている。
【００１１】
下部蓋体５はポリプロピレン等の合成樹脂で逆向きの中空台形状に形成されて内側筒部５ａに中心孔５ｂが形成されると共に下側に開口５ｃが形成されている。
下部蓋体５の甲板５ｄの上面外周には段部５ｅが形成されると共に外周の一側に二股の突起からなる係止部５ｆが形成されている。
内側筒部５ａ外周には重錘１２が固定されている。
開口５ｃには重錘６の外周が嵌合されている。
【００１２】
可撓性を有する中心軸４の下端に糸止め部１３が取り付けられて糸巻きや金属片を丸めた係止具７で止められている。
重錘６の中心孔６ａは２段の異なる内径に形成されて太径側の中に可撓性を有する中心軸４の係止具７が挿入されている。
糸止め部１３にはハリス１４が連結されている。
糸止め部１３を硬いワイヤ−の一端とし、硬いワイヤ−の他端に糸止め部を更に設けてハリス１４を連結してもよい。
糸止め部にヨリ戻しを介してハリス１４を連結してもよい。
【００１３】
上部カゴ本体１内に撒餌が収納される時は図３のように、下部蓋体５から上部カゴ本体１が角度略１８０度回動されて上部カゴ本体１の開口１ｅを上向きに保持して撒餌が詰め込まれる。
この時可撓性を有する中心軸４は切欠き１ｇに挿入されて屈曲される。
次にハリス１４は図１（ａ）のようにル−プ状に巻き込んで係止部１ｈと係止部５ｆで係止される。
この時下部蓋体５の甲板５ｄの段部５ｅ上方に上部カゴ本体１の開口１ｅの複数の内向きの突起１ｆが載せられる。
【００１４】
その後、位置調整部材３が上側中心軸２の上側に螺合で設定されている図１、図２（ａ）の状態で水中に投げ込まれ、水中に投入後撒餌具が上下に振られると、上部カゴ本体１は上方に移動されて図４（ａ）のように、上部カゴ本体１と下部蓋体５の離間幅Ｈが大きいと大量の撒餌が放出される。
位置調整部材３が図４（ｂ）のように、上側中心軸２の下側に螺合で設定されていると、上部カゴ本体１と下部蓋体５の離間幅ｈが小さいので少しずつ撒餌が放出される。
図４（ｂ）の状態で上側中心軸２のネジ部２ｃが露出しないように位置調整部材３を形成してもよい。
【００１５】
撒餌具が前記のように構成されると、位置調整部材３の位置を調整することで上部カゴ本体１と下部蓋体５の離間幅Ｈ、ｈが調整出来て容易にコマセの放出量を調整できる。
位置調整部材３に整流翼３ｃを設けると、投入時の飛行姿勢が安定し、投入し易くなり、水中では整流翼３ｃが抵抗となりアンカ−効果が生まれ潮のりがよくなる。
ハリス１４はル−プ状に巻き込んで係止部１ｈと係止部５ｆで係止されるので、長いハリスが使用可能である。
上部カゴ本体１の切欠き１ｇに沿って可撓性を有する中心軸４が屈曲可能なので、コマセの詰め込みがし易い。
【００１６】
図５は第２実施例で、図５は撒餌具の（ａ）上部カゴ本体と下部蓋体の離間幅が大きい断面側面図で（ｂ）上部カゴ本体と下部蓋体の離間幅が小さい断面側面図である。
【００１７】
第２実施例では、位置調整部材が下部蓋体５の下側に設けられた実施例である。
撒餌を収納する上部カゴ本体１の内側筒部１ａの中心孔１ｂに上側中心軸８が貫通され、上側中心軸８の下側に可撓性を有する中心軸４が連結されている。
上部カゴ本体１の下方に下部蓋体５が配置され、下部蓋体５の内側筒部５ａの中心孔５ｂと重錘６の中心孔６ａに可撓性を有する中心軸４が貫通されている。可撓性を有する中心軸４の下側に下側中心軸９が連結されて下側中心軸９に位置調整部材３′が螺合されている。
【００１８】
上側中心軸８の上端に糸止め部８ａが形成されて糸止め部８ａには道糸が連結されている。
上側中心軸８の下端に連結部８ｂが形成されて連結部８ｂの孔に可撓性を有する中心軸４の上端が挿入された後屈曲されて外周に糸巻きや金属片を丸めた係止具７で止められている。
可撓性を有する中心軸４の下端は下側中心軸９の上端に形成された連結部９ａの孔に挿入された後屈曲されて外周に糸巻きや金属片を丸めた係止具７で止められている。
【００１９】
下側中心軸９の下端に糸止め部９ｂが形成されている。
下側中心軸９の外周にネジ部９ｃが形成されている。
位置調整部材３′の中心に小径貫通孔３ａとネジ部３ｂと太径貫通孔３ｃが形成され、上端に重錘６の外周曲面に当たる曲面３ｄが形成されている。
下側中心軸９の糸止め部９ｂにハリスが連結される。
他の構成は前記第１実施例と略同一である。
【００２０】
第２実施例で位置調整部材３′が下側中心軸９の下側に螺合で設定されている状態で水中に投げ込まれ、水中に投入後撒餌具が上下に振られると、上部カゴ本体１は上方に移動されて図５（ａ）の上部カゴ本体１と下部蓋体５の離間幅Ｈが大きいと大量の撒餌が放出される。
位置調整部材３′が図５（ｂ）のように、下側中心軸９の上側に螺合で設定されていると、上部カゴ本体１と下部蓋体５の離間幅ｈが小さいので少しずつ撒餌が放出される。
図５（ｂ）の状態で下側中心軸９のネジ部９ｃが露出しないように位置調整部材３′を形成してもよい。
【００２１】
第２実施例のように撒餌具が前記のように構成されると、位置調整部材３′の位置を調整することで容易にコマセの放出量を調整できる。
【００２２】
【発明の効果】
本発明は、以上説明したような形態で実施され、以下に記載されるような効果を奏する。
【００２３】
請求項１によると、位置調整部材の位置を調整することで上部カゴ本体と下部蓋体の離間幅が調整出来て容易にコマセの放出量を調整できる。
請求項２により、位置調整部材に整流翼を設けると、投入時の飛行姿勢が安定し、投入し易くなり、水中では整流翼が抵抗となりアンカ−効果が生まれ潮のりがよくなる。
請求項３により、ハリスはル−プ状に巻き込んで係止部で係止されるので、長いハリスが使用可能である。
請求項４により、上部カゴ本体の切欠きに沿って可撓性を有する中心軸が屈曲可能なので、コマセの詰め込みがし易い。
【図面の簡単な説明】
【図１】第１実施例で、撒餌具の（ａ）水中に投入前の外観図で（ｂ）水中に投入コマセ放出後の外観図である。
【図２】同（ａ）撒餌具の断面側面図で（ｂ）撒餌具の平面図である。
【図３】同撒餌具の上部カゴ本体にコマセを詰める時の分解断面側面図である。
【図４】同撒餌具の（ａ）上部カゴ本体と下部蓋体の離間幅が大きい断面側面図で（ｂ）上部カゴ本体と下部蓋体の離間幅が小さい断面側面図である。
【図５】第２実施例で、撒餌具の（ａ）上部カゴ本体と下部蓋体の離間幅が大きい断面側面図で（ｂ）上部カゴ本体と下部蓋体の離間幅が小さい断面側面図である。
【符号の説明】
１  上部カゴ本体
１ｇ  切欠き
１ｈ、５ｆ  係止部
２、８、９  中心軸
３、３′  位置調整部材
３ｃ  整流翼
４  可撓性を有する中心軸
５  下部蓋体
１４  ハリス
Ｈ、ｈ  離間幅
【図１】
0004236803.tif 000002
【図２】
0004236803.tif 000003
【図３】
0004236803.tif 000004
【図４】
0004236803.tif 000005
【図５】
0004236803.tif 000006